(57)【要約】【課題】基板ケースが開封されたことを発見しやすくすることで、不正行為の防止および早期発見を実現する。【解決手段】ベース体１１０と、ベース体１１０に対向配置されるカバー部材１２０とで、内部に基板を収容可能な閉じられた収容空間１３０が形成される。カバー部材１２０には、シール装着部３２０が設けられている。シール装着部３２０には、封印シール３３０が貼り付けられる。封印シール３３０は、封印シールカバー部３４０によって被覆される。封印シールカバー部３４０は、封印シールカバー部３４０に設けられた第１の固定部４１０と、ベース体１１０に設けられた第２の固定部４２０と、第１の固定部４１０と第２の固定部４２０とを連結して固定するビス４３０とを含む封印シールカバー固定部４００によってベース体１１０に固定される。【選択図】図６
2018192194.tif 000002
【特許請求の範囲】
【請求項１】
ベース体と、
前記ベース体に対向配置され、前記ベース体とともに、内部に基板を収容可能な閉じられた収容空間を形成するカバー部材と、
前記ベース体および前記カバー部材の少なくともいずれか一方に設けられたシール装着部と、
前記シール装着部に貼り付けられる封印シールと、
前記封印シールを被覆する封印シールカバー部と、
前記封印シールカバー部を前記ベース体に固定する封印シールカバー固定部と、
を備える遊技機。
【請求項２】
前記封印シールカバー固定部は、
前記封印シールカバー部に設けられた第１の固定部と、
前記ベース体に設けられた第２の固定部と、
前記第２の固定部の側面から前記第２の固定部を貫いて前記第１の固定部と前記第２の固定部とを連結して固定する締結部材と、
前記締結部材の頭部を被覆する締結部材カバー部と、
を備える請求項１に記載の遊技機。
【請求項３】
前記締結部材の頭部に対して、前記第１の固定部と前記第２の固定部との連結を解除する方向に、遊技機における他のユニットが配置されている請求項２に記載の遊技機。
【発明の詳細な説明】
【技術分野】
【０００１】
本発明は、基板が収容される収容空間が区画形成された基板ケースを備えた遊技機に関する。
【背景技術】
【０００２】
一般的に、遊技機においては、遊技の進行を制御する主制御基板や、賞球の払出を制御する払出制御基板等、種々の基板が設けられている。こうした遊技機においては、各種の基板を改竄したり、正規の基板を不正な基板に交換したりするような不正行為が行われるおそれがある。
【０００３】
そこで、従来の遊技機においては、例えば、特許文献１、２に示されるように、基板ケースに封印機構を設け、基板ケースを一度封印すると、封印機構を破壊、切断しない限り、再度基板ケースを開封することができないようにしている。これにより、基板ケースに破壊や切断の痕跡が残っていれば、基板ケースが開封されたことを把握することができ、不正行為の有無を判断することができる。
【先行技術文献】
【特許文献】
【０００４】
【特許文献１】特開平１０−２１６３２４号公報
【特許文献２】特開２０１２−１５７４６５号公報
【発明の概要】
【発明が解決しようとする課題】
【０００５】
上述のような不正行為の防止および早期発見のさらなる強化が望まれている。
【０００６】
そこで、本発明は、基板ケースが開封されたことを発見しやすくすることで、不正行為の防止および早期発見を実現する遊技機を提供することを目的とする。
【課題を解決するための手段】
【０００７】
上記課題を解決するために、本発明の遊技機は、ベース体と、前記ベース体に対向配置され、前記ベース体とともに、内部に基板を収容可能な閉じられた収容空間を形成するカバー部材と、前記ベース体および前記カバー部材の少なくともいずれか一方に設けられたシール装着部と、前記シール装着部に貼り付けられる封印シールと、前記封印シールを被覆する封印シールカバー部と、前記封印シールカバー部を前記ベース体に固定する封印シールカバー固定部と、を備える。
【０００８】
また、前記封印シールカバー固定部は、前記封印シールカバー部に設けられた第１の固定部と、前記ベース体に設けられた第２の固定部と、前記第２の固定部の側面から前記第２の固定部を貫いて前記第１の固定部と前記第２の固定部とを連結して固定する締結部材と、前記締結部材の頭部を被覆する締結部材カバー部と、を備えるとよい。
【０００９】
また、前記締結部材の頭部に対して、前記第１の固定部と前記第２の固定部との連結を解除する方向に、遊技機における他のユニットが配置されているとよい。
【発明の効果】
【００１０】
本発明によれば、基板ケースが開封されたことを発見しやすくなり、不正行為の防止および早期発見を実現することができる。
【図面の簡単な説明】
【００１１】
【図１】本実施形態の遊技機の斜視図である。
【図２】基板ケースの正面図である。
【図３】図２における封止機構部分を拡大して示す部分拡大図である。
【図４】図３のＩＶ−ＩＶ線における概略断面図である。
【図５】図２における第２の封止機構部分を拡大して示す部分拡大図である。
【図６】図５の第２の封止機構の一部を透視して示す透視図である。
【図７】基板ケースの正面に向かって下方から第２の封止機構部分を見たときの側面図である。
【図８】基板ケースの正面に向かって右側から第２の封止機構部分を見たときの側面図である。
【図９】封印シールカバー固定部部分の透視図である。
【図１０】図５のＸ−Ｘ線における概略断面図である。
【発明を実施するための形態】
【００１２】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１３】
図１は、本実施形態の遊技機１の斜視図であり、扉が開放された状態を示している。図示のように、遊技機１は、略矩形状に組まれた四辺によって囲繞空間が形成される外枠３と、この外枠３にヒンジ機構によって開閉自在に取り付けられた中枠５と、この中枠５に、ヒンジ機構によって開閉自在に取り付けられた前枠７と、を備えている。
【００１４】
中枠５は、外枠３と同様に、略矩形状に組まれた四辺によって囲繞空間が形成されており、この囲繞空間に遊技盤９が保持されている。また、前枠７には、ガラス製または樹脂製の透過板１１が保持されている。そして、これら中枠５および前枠７を外枠３に対して閉じると、遊技盤９と透過板１１とが所定の間隔を維持して略平行に対面するとともに、遊技機１の正面側から、透過板１１を介して遊技盤９が視認可能となる。
【００１５】
詳しい説明は省略するが、遊技盤９の前面には、不図示の釘や風車が設けられており、遊技盤９と透過板１１との間隔によって形成される遊技領域を、遊技球が不規則に転動、流下する。また、遊技盤９の前面には、複数の入賞口が設けられており、これらの入賞口に遊技球が入球すると、前枠７の前面に設けられた上皿に、賞球として遊技球が払い出されることとなる。
【００１６】
そして、遊技盤９の背面には、遊技の進行を制御する主制御基板、演出を制御する副制御基板、賞球の払出を制御する払出制御基板等の種々の基板が、基板ケースに収容された状態で固定されている。以下に、これらの各基板を収容する基板ケースについて説明する。
【００１７】
図２は、基板ケース１００の正面図である。なお、以下では、図２に示すｘ方向を基板ケース１００の幅方向とし、ｙ方向を基板ケース１００の高さ方向とし、ｚ方向を基板ケース１００の厚さ方向として説明する。基板ケース１００は、遊技盤９に固定されるベース体１１０と、このベース体１１０に対して開閉自在に設けられたカバー部材１２０とを備えている。ベース体１１０は、矩形状の平面部１１０ａと、この平面部１１０ａの側縁から垂直に起立する３つの隔壁部１１０ｂ、１１０ｃ、１１０ｄとを備えている。隔壁部１１０ｂ、１１０ｃは、基板ケース１００の高さ方向に平行に対向しており、隔壁部１１０ｄは、隔壁部１１０ｂ、１１０ｃにおける基板ケース１００の幅方向の一端部に連続している。したがって、ベース体１１０は、隔壁部１１０ｂ、１１０ｃ、１１０ｄによって四辺のうちの三辺が囲繞されており、基板ケース１００の幅方向の他端側、すなわち、隔壁部１１０ｄに対向する開口部１１０ｅが外部に開口することとなる。
【００１８】
また、カバー部材１２０は、外形が矩形状の平面部１２０ａと、この平面部１２０ａから基板ケース１００の厚さ方向に垂直に起立する隔壁部１２０ｂ、１２０ｃ、１２０ｄ、１２０ｅと、これら隔壁部１２０ｂ、１２０ｃ、１２０ｄ、１２０ｅの起立方向の端部に連続し、平面部１２０ａと平行な面である収容面１２０ｆとを備えている。平面部１２０ａは、ベース体１１０の平面部１１０ａよりも僅かに面積が小さく形成されており、ベース体１１０の隔壁部１１０ｂ、１１０ｃ、１１０ｄに囲繞された空間内に収容可能な寸法関係を維持している。
【００１９】
隔壁部１２０ｂ、１２０ｃは、基板ケース１００の高さ方向に対向しており、隔壁部１２０ｄ、１２０ｅは、基板ケース１００の幅方向に対向している。これら隔壁部１２０ｂ、１２０ｃ、１２０ｄ、１２０ｅと、収容面１２０ｆとによって、カバー部材１２０には、内部に基板を収容可能な収容空間１３０が形成されている。この収容空間１３０におけるｘｙ断面の面積は、カバー部材１２０全体のｘｙ断面の面積よりも小さく形成されており、平面部１２０ａには、収容空間１３０の外部に接続端子を露出させたコネクタ１２２が設けられている。
【００２０】
上記の基板ケース１００に基板を収容する場合には、カバー部材１２０をベース体１１０から取り外した状態で、収容空間１３０に基板を収容して固定する。その後、隔壁部１２０ｄを先頭にして、カバー部材１２０をベース体１１０の開口部１１０ｅから、基板ケース１００の幅方向にスライドさせる。これにより、ベース体１１０に対してカバー部材１２０が閉じられるとともに、図示の状態では、ベース体１１０の平面部１１０ａ、カバー部材１２０の収容面１２０ｆ、隔壁部１２０ｂ、１２０ｃ、１２０ｄ、１２０ｅによって、収容空間１３０が外部から閉鎖された閉鎖空間となり、収容空間１３０に収容された基板へのアクセスが不可能となる。
【００２１】
なお、ベース体１１０の隔壁部１１０ｂ、１１０ｃには、これら隔壁部１１０ｂ、１１０ｃの対向方向に突出する爪部１１２が複数設けられている。この爪部１１２は、ベース体１１０に対して、カバー部材１２０が、基板ケース１００の厚さ方向に脱落するのを規制するとともに、カバー部材１２０のベース体１１０に対するスライドをガイドする機能を担っている。
【００２２】
そして、基板ケース１００には、ベース体１１０に対してカバー部材１２０を封止するための封止機構２００が設けられている。この封止機構２００は、ベース体１１０とカバー部材１２０とを互いに固定し、ベース体１１０に対するカバー部材１２０の開封を規制するためのものである。封止機構２００により、ベース体１１０に対してカバー部材１２０が一度封止されると、封止機構２００の破壊を伴わずしてカバー部材１２０を開封することができなくなる。
【００２３】
図３は、図２における封止機構２００部分を拡大して示す部分拡大図であり、図４は、図３のＩＶ−ＩＶ線における概略断面図である。図３および図４に示すように、ベース体１１０には、隔壁部１１０ｄに一体成形され、隔壁部１１０ｄからさらに基板ケース１００の幅方向に垂直に突出する固定部２０２が設けられている。この固定部２０２は、基板が収容される収容空間１３０の外方に位置しており、ベース体１１０とカバー部材１２０との対向方向に直交する上面部２０２ａに、２つのネジ穴２０４を開口させている。
【００２４】
一方、カバー部材１２０には、隔壁部１２０ｄに一体成形されるとともに、隔壁部１２０ｄから、収容空間１３０より離隔する方向に垂直に突出する突出部２０６が立設されている。この突出部２０６は、ベース体１１０に対してカバー部材１２０が閉じられた状態で、固定部２０２に対して空隙を維持して対向する。また、突出部２０６の先端には、ベース体１１０に対してカバー部材１２０が閉じられた状態で、ネジ穴２０４に対向配置される２つの延在壁部２０８が設けられている。この延在壁部２０８は、突出部２０６の先端に連続して一体成形されている。
【００２５】
より具体的には、延在壁部２０８は円筒状に形成されており、突出部２０６の突出方向先端部に位置する連続部２０６ａは、延在壁部２０８の側面２０８ａの曲率に一致する湾曲形状となっている。また、延在壁部２０８は、ネジ穴２０４との対向方向（ｚ方向）、換言すれば、突出部２０６の突出方向に直交する方向に軸心を一致させて延在している。このとき、図４からも明らかなように、延在壁部２０８は、突出部２０６よりもネジ穴２０４側に延在しており、ベース体１１０に対してカバー部材１２０が閉じられた状態で、延在壁部２０８の延在方向の一端面が、ネジ穴２０４を完全に被覆するように、固定部２０２の上面部２０２ａに面接触する。また、延在壁部２０８は、突出部２０６を境にしてネジ穴２０４とは反対側にも延在しており、その延在方向の端面の中心には、貫通孔２０８ｂが形成されている。
【００２６】
延在壁部２０８には、隆起部２２０が設けられている。隆起部２２０は、突出部２０６の連続部２０６ａに連続する延在壁部２０８の側面２０８ａに設けられており、延在壁部２０８とネジ穴２０４との対向方向に直交する方向、より詳細には、突出部２０６の突出方向に隆起している。この隆起部２２０は、突出部２０６を境にしてネジ穴２０４とは反対側に設けられており、延在壁部２０８の延在方向、すなわち、基板ケース１００の厚さ方向に所定の長さを有している。また、隆起部２２０は、基板ケース１００の厚さ方向において、突出部２０６に近接するにつれて徐々に隆起量が増す、換言すれば、延在壁部２０８の側面２０８ａからの隆起量が増す傾斜形状となっている。このように、隆起部２２０は、突出部２０６の連続部２０６ａ、すなわち、延在壁部２０８の側面２０８ａよりも突出部２０６側に隆起した状態で、延在壁部２０８および突出部２０６と一体成形されている。
【００２７】
ここで、延在壁部２０８の内部には、封止手段を構成する封止ネジ２１０が予め収容されている。この封止ネジ２１０には、ネジ穴２０４に形成されたネジ溝に螺合する雄ネジが切られており、頭部２１０ａに形成された溝にドライバーを嵌合して回転させると、図４（ａ）に示す状態から図４（ｂ）に示す状態となる。このように、封止ネジ２１０がネジ穴２０４に螺合することで、カバー部材１２０がベース体１１０に固定されることとなる。なお、封止ネジ２１０は、いわゆるワンウェイタイプのネジで構成されており、締付方向への回転は可能であるが、弛み方向への回転が不可能となっている。そのため、一度封止ネジ２１０をネジ穴２０４に螺合させると、封止ネジ２１０をネジ穴２０４から取り外すことができない。つまり、延在壁部２０８がネジ穴２０４に対して封止ネジ２１０によって封止されると、ベース体１１０とカバー部材１２０とを、破壊を伴わずに再度開封することができなくなっている。
【００２８】
こうした封止機構２００を備えることにより、基板ケース１００に収容された基板を改竄したり、正規の基板を不正な基板に交換したりする不正行為は、封止機構２００を破壊したうえで行わなければならない。したがって、仮に不正行為が行われたとしても、封止機構２００における破壊の痕跡を早期に発見することができれば、不正に遊技が行われるのを未然に防いで、被害を最小限に抑えることができる。
【００２９】
図２に示すように、基板ケース１００には、封止機構２００とは別の第２の封止機構３００が設けられている。図５は、図２における第２の封止機構３００部分を拡大して示す部分拡大図である。図６は、図５の第２の封止機構３００の一部を透視して示す透視図である。図７は、基板ケース１００の正面に向かって下方から第２の封止機構３００部分を見たときの側面図である。図８は、基板ケース１００の正面に向かって右側から第２の封止機構３００部分を見たときの側面図である。
【００３０】
カバー部材１２０には、隔壁部１２０ｅからさらに基板ケース１００の幅方向に突出するシール装着部３２０が設けられている。シール装着部３２０は、収容空間１３０の外方に位置しており、隔壁部１２０ｅおよび平面部１１０ａに一体成形されている。シール装着部３２０は、平面部１２０ａに平行な矩形平板状に形成されている。
【００３１】
ベース体１１０には、開口部１１０ｅからさらに基板ケース１００の幅方向に突出するシール装着部３１０が設けられている。シール装着部３１０は、収容空間１３０の外方に位置しており、開口部１１０ｅを挟んで収容空間１３０とは反対側において、ベース体１１０の正面（カバー部材１２０に対向する面）との間に隙間を空けつつベース体１１０に一体成形されている。シール装着部３１０は、ベース体に平行な矩形平板状に形成されている。カバー部材１２０がベース体１１０に対して閉じられた状態で、シール装着部３１０のカバー部材１２０側の面は、シール装着部３２０のベース体１１０側の面に面接触する。
【００３２】
シール装着部３２０における基板ケース１００の高さ方向（ｙ方向）の中央には、シール装着部３２０を貫くスリット３２１が設けられている。同様に、シール装着部３１０における基板ケース１００の高さ方向の中央には、シール装着部３１０を貫くスリット３１１が設けられている。スリット３２１およびスリット３１１は、収容空間１３０から離れる方向に沿って設けられ、それぞれ、シール装着部３２０の先端３２２およびシール装着部３１０の先端３１２に至る。スリット３２１およびスリット３１１は、カバー部材１２０がベース体１１０に対して閉じられた状態で互いに重なる。
【００３３】
カバー部材１２０がベース体１１０に対して閉じられた状態において、シール装着部３２０およびシール装着部３１０の表面には、封印シール３３０が貼り付けられる。封印シール３３０は、スリット３２１の一部およびスリット３１１の一部を覆うように貼り付けられる。具体的には、封印シール３３０は、シール装着部３２０における基板ケース１００の幅方向（ｘ方向）の中央付近から収容空間１３０とは反対側に延び、シール装着部３２０の先端３２２およびシール装着部３１０の先端３１２を跨いで、シール装着部３１０における基板ケース１００の幅方向（ｘ方向）の中央付近に延びるように貼り付けられる。封印シール３３０がこのように貼り付けられると、スリット３２１によって囲まれた領域のうちの基板ケース１００の幅方向の中央付近からシール装着部３２０の先端３２２側の領域３２３と、スリット３１１によって囲まれた領域のうちの基板ケース１００の幅方向の中央付近からシール装着部３１０の先端３１２側の領域３１３とが、封印シール３３０によって覆われる。また、封印シール３３０には、封印シール３３０の識別情報が記憶されたＩＣタグ３３１が設けられている。
【００３４】
封印シール３３０が貼り付けられたシール装着部３２０およびシール装着部３１０の周りには、シール装着部３２０およびシール装着部３１０を取り囲んで封印シール３３０を被覆する封印シールカバー部３４０が設けられている。封印シールカバー部３４０は、封印シール３３０のうちのシール装着部３２０に貼られた部分を覆う第１の封印シールカバー３５０と、封印シール３３０のうちのシール装着部３１０に貼られた部分を覆う第２の封印シールカバー３６０とを備えている。
【００３５】
第１の封印シールカバー３５０は、平面部３５０ａと、この平面部３５０ａの側縁から垂直に起立する３つの隔壁部３５０ｂ、３５０ｃ、３５０ｄとを備えている。平面部３５０ａは、シール装着部３２０に貼られた封印シール３３０に接触せずに配される。平面部３５０ａの面積は、封印シール３３０におけるシール装着部３２０に貼られた部分の面積よりも広い。隔壁部３５０ｂ、３５０ｃは、基板ケース１００の高さ方向に平行に対向している。隔壁部３５０ｄは、シール装着部３２０の先端３２２側に位置しており、隔壁部３５０ｂ、３５０ｃに連続している。したがって、シール装着部３２０は、封印シール３３０が貼られた面が平面部３５０ａによって覆われ、隔壁部１２０ｅ側を除く三辺が隔壁部３５０ｂ、３５０ｃ、３５０ｄによって囲まれる。
【００３６】
第２の封印シールカバー３６０は、第１の封印シールカバー３５０と同様の構成となっている。すなわち、第２の封印シールカバー３６０は、平面部３６０ａと、この平面部３６０ａの側縁から垂直に起立する３つの隔壁部３６０ｂ、３６０ｃ、３６０ｄとを備えている。そして、シール装着部３１０は、封印シール３３０が貼られた面が平面部３６０ａによって覆われ、隔壁部１２０ｅ側を除く三辺が隔壁部３６０ｂ、３６０ｃ、３６０ｄによって囲まれる。
【００３７】
隔壁部３５０ｂ、３５０ｃ、３５０ｄにおける平面部３５０ａとは反対側部分は、接合部３７０を介して、隔壁部３６０ｂ、３６０ｃ、３６０ｄにおける平面部３６０ａとは反対側部分に接合される。これにより、第１の封印シールカバー３５０および第２の封印シールカバー３６０によって封印シール３３０が完全に覆われる。
【００３８】
第１の封印シールカバー３５０の隔壁部１２０ｅ側の端部には、突出部３５１および突出部３５２が設けられている。突出部３５１は、基板ケース１００の高さ方向の中央において隔壁部１２０ｅ側に突出しており、矩形状に形成されている。突出部３５２は、突出部３５１と隔壁部３５０ｂとの間、突出部３５１と隔壁部３５０ｃとの間のそれぞれにおいて、隔壁部１２０ｅ側に突出しており、先端が丸い形状に形成されている。第２の封印シールカバー３６０についても同様となっている。
【００３９】
第１の封印シールカバー３５０の突出部３５２におけるシール装着部３２０に対向する面には、ボス３５３が設けられている。一方、シール装着部３２０における基板ケース１００の幅方向の中央よりも隔壁部１２０ｅ側には、シール装着部３２０を貫く穴３２４が２箇所設けられている。穴３２４には、ボス３５３が収容される。ボス３５３が穴３２４に収容されることで、第１の封印シールカバー３５０は、シール装着部３２０に保持される。同様に、第２の封印シールカバー３６０に設けられたボスが、シール装着部３１０に設けられた穴に収容されることで、第２の封印シールカバー３６０は、シール装着部３１０に保持される。
【００４０】
第１の封印シールカバー３５０の突出部３５１におけるシール装着部３２０に対向する面には、スリット３２１によって囲まれた領域（すなわち、スリット３２１内）に収容され、そのスリット３２１内を移動可能なカッター小片３５４が設けられている。カッター小片３５４は、第１の封印シールカバー３５０および第２の封印シールカバー３６０がシール装着部３２０、３１０に保持された状態で、スリット３２１によって囲まれた領域のうちの封印シール３３０と重なる領域３２３よりも隔壁部１２０ｅ側の領域に収容される。カッター小片３５４は、隔壁部３５０ｄ側（すなわち、封印シール３３０側）の側面が鋭利な形状に形成されている。第２の封印シールカバー３６０についても同様となっている。
【００４１】
封印シール３３０が覆われた状態から封印シールカバー部３４０を取り外す方法として、例えば、突出部３５２を切断してボス３５３を穴３２４から取り外し、シール装着部３１０、３２０に対して封印シールカバー部３４０を収容空間１３０から離れる方向に移動させることが考えられる。この場合、封印シールカバー部３４０の移動に伴って、第１の封印シールカバー３５０側において、カッター小片３５４が、スリット３２１内を収容空間１３０から離れる方向に移動することとなる。カッター小片３５４が、スリット３２１によって囲まれた領域と封印シール３３０とが重なる領域３２３まで移動すると、封印シール３３０は、カッター小片３５４の鋭利な側面によって破損することとなる。第２の封印シールカバー３６０側についても、同様である。
【００４２】
このように、第２の封止機構３００は、封印シール３３０の破損の痕跡によって、不正行為を発見し、不正行為による被害を最小限に抑えるものである。
【００４３】
ここで、本実施形態の基板ケース１００には、封印シール３３０が封印シールカバー部３４０によって覆われた状態で、封印シールカバー部３４０をベース体１１０に固定する封印シールカバー固定部４００が設けられている。
【００４４】
図９は、封印シールカバー固定部４００部分の透視図である。図１０は、図５のＸ−Ｘ線における概略断面図である。図５〜図１０を参照して封印シールカバー固定部４００について詳述する。
【００４５】
封印シールカバー固定部４００は、第１の固定部４１０と、第２の固定部４２０と、ビス４３０と、ビスカバー部４４０とを有する。
【００４６】
第１の固定部４１０は、封印シールカバー部３４０の隔壁部３５０ｂから隔壁部３５０ｃとは反対側方向に延び、延びた先でベース体１１０の平面部１１０ａに向かって折れ曲がった、略Ｌ字状のブロック体である。第１の固定部４１０の一方の端部４１１は、隔壁部３５０ｄ近傍において、隔壁部３５０ｂに固定されている。第１の固定部４１０の他方の端部４１２は、平面部１１０ａに臨んで配される。第１の固定部４１０における収容空間１３０側の面と、隔壁部３５０ｂにおけるシール装着部３２０とは反対側の面との間には、第１の固定部４１０の隔壁部３５０ｂへの固定を補強するアングル部４１３が設けられている。
【００４７】
第１の固定部４１０の他方の端部４１２付近における収容空間１３０とは反対側の面には、収容空間１３０から離れる方向に突出する突出部４１４が設けられている。突出部４１４および第１の固定部４１０には、突出部４１４の先端４１５から突出部４１４を貫いて第１の固定部４１０内に窪むネジ穴４１６が設けられている。ネジ穴４１６には、ネジ溝が形成されている。ネジ穴４１６は、ベース体１１０に平行であり、基板ケース１００の幅方向に軸心が一致している。
【００４８】
ベース体１１０における封印シールカバー部３４０を挟んで収容空間１３０とは反対側には、平板部４５０が設けられている。平板部４５０は、ベース体１１０と平行な姿勢でベース体１１０に固定されている。平板部４５０における第１の固定部４１０付近には、平板部４５０のベース体１１０とは反対側の面から垂直に起立する第２の固定部４２０が固定されている。すなわち、第２の固定部４２０は、平板部４５０を介して、ベース体１１０から起立して設けられている。
【００４９】
第２の固定部４２０は、略円環状の頭部４２１と、頭部４２１を平板部４５０に固定させる脚部４２２とを備えている。頭部４２１には、円環の中央において、頭部４２１を貫く円形の穴部４２３が設けられている。第２の固定部４２０は、穴部４２３の軸心が、第１の固定部４１０のネジ穴４１６の軸心の延長線に一致するように配される。
【００５０】
頭部４２１における第１の固定部４１０に対向する面には、窪み部４２４が設けられている。窪み部４２４は、穴部４２３における第１の固定部４１０側の径を、穴部４２３における基板ケース１００の幅方向中央部分の径に比べ、拡大させる。第２の固定部４２０は、この窪み部４２４によって形成される空間に、第１の固定部４１０の突出部４１４の先端４１５を収容させるように配される。
【００５１】
頭部４２１における第１の固定部４１０とは反対側の面には、窪み部４２５が設けられている。窪み部４２５は、穴部４２３における第１の固定部４１０とは反対側の径を、穴部４２３における基板ケース１００の幅方向中央部分の径に比べ、拡大させる。窪み部４２５が設けられることで、穴部４２３の軸心に垂直な平面部４２６が形成される。
【００５２】
ビス４３０の頭部４３１には、ドライバーが嵌合される溝４３２が形成されている。ビス４３０には、第１の固定部４１０のネジ穴４１６のネジ溝に螺合する雄ネジが切られている。ビス４３０は、第２の固定部４２０の頭部４２１の窪み部４２５側から穴部４２３に挿入され、窪み部４２４に収容された突出部４１４の先端４１５からネジ穴４１６に回転しつつ挿入される。ビス４３０の座面４３３が平面部４２６に面接触するまでビス４３０がネジ穴４１６に挿入されると、第２の固定部４２０は、ビス４３０を介して第１の固定部４１０に固定される。すなわち、ビス４３０は、第２の固定部４２０の側面から第２の固定部４２０を貫いて第１の固定部４１０と第２の固定部４２０とを連結して固定する。
【００５３】
ビスカバー部４４０は、略椀状に形成されている。ビスカバー部４４０の開口部４４１側の外径は、第２の固定部４２０の頭部４２１の窪み部４２５の内径よりも僅かに小さくなっている。ビスカバー部４４０は、開口部４４１側部分と窪み部４２５との間で適度な摩擦力をもって第２の固定部４２０に着脱可能に装着される。ビスカバー部４４０によって囲まれた領域（ビスカバー部４４０内）は、ビス４３０の頭部４３１を収容可能な広さになっている。
【００５４】
ビス４３０によって第１の固定部４１０と第２の固定部４２０とが連結された状態において第２の固定部４２０にビスカバー部４４０が装着されると、ビス４３０の頭部４３１は、ビスカバー部４４０によって被覆される。したがって、第１の固定部４１０と第２の固定部４２０とを連結したビス４３０は、第１の固定部４１０と第２の固定部４２０とビスカバー部４４０とによって、外部から完全に目視することができないようになっている。
【００５５】
以上のように、封印シールカバー固定部４００は、封印シールカバー部３４０に設けられた第１の固定部４１０と、ベース体１１０から起立して設けられた第２の固定部４２０と、第１の固定部４１０と第２の固定部４２０とを連結して固定するビス４３０とによって、封印シールカバー部３４０をベース体１１０に固定する。
【００５６】
封印シールカバー固定部４００を備えた基板ケース１００によれば、封印シールカバー部３４０がベース体１１０に固定されているため、封印シールカバー部３４０をシール装着部３１０、３２０から取り外すのが困難となり、封印シールカバー部３４０を取り外して基板ケース１００を不正に開封する行為を防止することができる。
【００５７】
また、封印シールカバー固定部４００を壊そうとした場合、封印シールカバー固定部４００を壊す過程や、封印シールカバー部３４０を取り外す過程などにおいて、封印シール３３０が破損し易い。このため、基板ケース１００によれば、仮に不正な開封がなされた場合には、封印シールカバー固定部４００の破損の痕跡や封印シール３３０の破損の痕跡によって、早期に不正行為を発見し、不正行為による被害を最小限に抑えることができる。
【００５８】
また、基板ケース１００によれば、ビス４３０を外部から完全に目視することができないようになっているため、封印シールカバー部３４０を固定している箇所を、不正行為者に容易に認識させないようにすることができる。
【００５９】
また、ビス４３０は、第１の固定部４１０と第２の固定部４２０とを連結した状態で基板ケース１００の幅方向に延在するため、ビス４３０を取り外すには、基板ケース１００の横から幅方向に沿って、ドライバー等をビス４３０の溝４３２に当てなければならない。このため、基板ケース１００によれば、ビス４３０を取り外し難い。さらに、図２に示すように、基板ケース１００が遊技盤９に組み付けられた状態において、第２の封止機構３００および封印シールカバー固定部４００を挟んで収容空間１３０とは反対側には、遊技機１における他のユニット５００、例えば、遊技球を払い出すユニットなどが配置される。すなわち、基板ケース１００を備えた遊技機１では、ビス４３０の頭部４３１に対して、第１の固定部４１０と第２の固定部４２０との連結を解除する方向に、他のユニット５００が配置される。このため、ドライバー等をビス４３０の溝４３２に当てる際、他のユニット５００の存在が邪魔となり、基板ケース１００を遊技盤９に組み付けられた状態でビス４３０を取り外すのは、非常に困難である。これにより、基板ケース１００によれば、基板ケース１００を不正に開封する行為を抑制することができる。
【００６０】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００６１】
上記実施形態では、第１の固定部４１０は、封印シールカバー部３４０の隔壁部３５０ｂから突出していた。しかし、第１の固定部４１０の位置は、この態様に限らない。例えば、第１の固定部４１０は、封印シールカバー部３４０の隔壁部３５０ｃから突出してもよいし、隔壁部３５０ｄから突出してもよい。すなわち、第１の固定部４１０は、第２の固定部４２０と連結可能な位置に設けられればよい。
【００６２】
上記実施形態では、第２の固定部４２０は、ベース体１１０に固定された平板部４５０から起立して設けられていた。しかし、平板部４５０を設けず、第２の固定部をベース体１１０から直接に起立して設けてもよい。
【００６３】
上記実施形態では、カバー部材１２０にシール装着部３２０が設けられ、ベース体１１０にシール装着部３１０が設けられ、シール装着部３２０からシール装着部３１０に跨って封印シール３３０が貼り付けられていた。しかし、封印シール３３０が貼り付けられるシール装着部は、ベース体１１０およびカバー部材１２０の少なくともいずれか一方に設けられていればよい。すなわち、封印シールカバー部３４０のカッター小片３５４によって封印シール３３０が破損可能な構成であればよい。
【００６４】
上記実施形態では、カバー部材１２０内に基板を収容、固定することとしたが、ベース体１１０に基板を固定してもよい。いずれにしても、ベース体に対してカバー部材が閉じられた状態で、ベース体の隔壁とカバー部材の隔壁とによって、内部に基板を収容可能な収容空間が形成される構成であれば、その具体的な構成は特に限定されるものではない。
【００６５】
また、上記実施形態では、カバー部材１２０をベース体１１０に対してスライドさせて開閉する構造について説明したが、ベース体１１０やカバー部材１２０の形状、構造は一例に過ぎない。したがって、ベース体１１０に対してカバー部材１２０を回動させて開閉するように構成してもよいし、ベース体１１０とカバー部材１２０とを単に積層させることで開閉する構成としてもよい。
【符号の説明】
【００６６】
１     …遊技機
１００  …基板ケース
１１０  …ベース体
１２０  …カバー部材
１２０ｄ  …隔壁部（隔壁）
１３０  …収容空間
３００  …第２の封止機構
３１０、３２０  …シール装着部
３２１  …スリット
３３０  …封印シール
３４０  …封印シールカバー部
３５４  …カッター小片
４００  …封印シールカバー固定部
４１０  …第１の固定部
４２０  …第２の固定部
４３０  …ビス（締結部材）
４４０  …ビスカバー部（締結部材カバー部）
【図１】
2018192194.tif 000003
【図２】
2018192194.tif 000004
【図３】
2018192194.tif 000005
【図４】
2018192194.tif 000006
【図５】
2018192194.tif 000007
【図６】
2018192194.tif 000008
【図７】
2018192194.tif 000009
【図８】
2018192194.tif 000010
【図９】
2018192194.tif 000011
【図１０】
2018192194.tif 000012